(57)【特許請求の範囲】
【請求項１】
吸込口と吐出口を備えたケーシング内に羽根車を設けてなる送風機と、この送風機に羽根車用のモータを設けるとともに、この送風機を囲繞する構成の送風機用の低騒音装置において、
この低騒音装置の内側に設けた吸音壁と、前記送風機との間に適宜の間隔を形成し、
この間隔は、前記吸込口と吐出口に対して開口する吸込開口と吐出開口に連なるとともに、この吸音壁は、硬性の内外壁体と、この内外壁体に囲繞された吸音材で構成するとともに、この内壁体に当該吸音壁の吸音の向上を司る吸音手段を設け、
さらに、前記吸込開口には、その内側に廻込み部を形成した構成の送風機用の低騒音装置であって、
前記吸込開口が前記モータを囲繞し、かつこのモータの周辺に通路を形成することを特徴とする送風機用の低騒音装置。
【請求項２】
請求項１に記載の送風機用の低騒音装置において、
前記吸音手段は、内壁体に設けた穴である送風機用の低騒音装置。
【請求項３】
請求項１に記載の送風機用の低騒音装置において、
前記吸音手段は、内壁体に設けたバーリング付き穴である送風機用の低騒音装置。
【請求項４】
請求項１に記載の送風機用の低騒音装置において、
前記吸音手段は、内壁体に設けた植毛体である送風機用の低騒音装置。
【請求項５】
請求項１に記載の送風機用の低騒音装置において、
前記吸音手段は、内壁体の構造が網目である送風機用の低騒音装置。
【請求項６】
請求項１に記載の送風機用の低騒音装置において、
前記吸音壁の吸込開口は、送風機のモータを囲繞するように開口する構成とした送風機用の低騒音装置。
【発明の詳細な説明】
【技術分野】
【０００１】
本発明は、洗車機、工場に配備された送風機用の低騒音装置に関する。
【背景技術】
【０００２】
従来、洗車機、工場に配備された送風機であって、渦巻状のケーシングに、吸込口から吸い込んだ空気を、略９０度方向に排気する吐出口を備えた構造の送風機では、その騒音が問題になる場合が多い。例えば、洗車機では、実開昭６２−５２０６５号（文献（１）とする）の「洗車機における低騒音送風装置」に開示されているように、夜間等の洗車機の駆動に対する騒音の問題が取り上げられている。そのために、この考案を始めとして種々の考案が提案されている。しかし、この種の考案は、何れも渦巻状のケーシング自体に対する吸音材の付設、又は吸込口に付設した吸音材の如く、一部の騒音対策（防音又は吸音）であり、所謂ケーシング全体に対する騒音防止装置でないことから、その防音効果は、必ずしも十分とは云えない。殊にガソリンスタンドの近傍に住宅が築造される状況では、この種の騒音が問題となる確率が高い。またこの種の洗車機において、２４時間営業が増加する傾向にある昨今では、この騒音対策は急務である。そして、この文献（１）の問題であったケーシング全体の吸音を図る構造も散見される。例えば、特開２００３−１３９０９５（文献（２）とする）の「ケーシング」に開示されているように、ケーシングをスクロールケーシング（躯体）と、このスクロールケーシングに設けたソフト部材でなる吸音材（外郭体）とで構成し、この吸音材を介して吸音（防音）効果を図りつつ、躯体の強度を利用してケーシングとしての強度を達成することを意図する。この発明では、車輌の一部品として、躯体が車輌の一部を構成する構造には適する。しかし、洗車機の如く、外気及び／又は水分等が接触、飛散する状況下では、少なからず問題であること、又は工場において、単独で配置するには、構造的な強度の不足等が問題となること等の改良点がある。
【０００３】
【特許文献１】実開昭６２−５２０６５号
【０００４】
【特許文献２】特開２００３−１３９０９５
【発明の開示】
【発明が解決しようとする課題】
【０００５】
以上の文献（１）・（２）は、防音効果は期待できる。しかし、文献（１）では、ケーシング内の一部の騒音防止であり、送風機全体の防音を図るには、構造的に改良すべき幾つかの技術的な問題が残っている。また文献（２）では、ケーシングをソフト部材で構成するので、強度面で問題があり、特定の分野での使用に限定される虞があると考えられる。
【０００６】
上記に鑑み本発明は、送風機全体の防音を図りつつ、現実に即した送風機用の低騒音装置を提供することを意図する。またこの騒音防止とともに、送風機のモータ（駆動源）の冷却を図って、当該モータの冷却効果と、耐久性の向上と、潤滑部の損傷回避とを図ることを意図する。
【課題を解決するための手段】
【０００７】
請求項１の発明は、送風機全体の防音を図りつつ、現実に即した送風機用の低騒音装置を提供することを意図する。またこの騒音防止とともに、送風機のモータ（駆動源）の冷却を図って、当該モータの冷却効果と、耐久性の向上と、潤滑部の損傷回避とを図ることを意図する。さらに、ケーシングを囲繞する空気（風）の流れを確保して防音効果（吸音効果）を達成し、かつ内壁体に吸音壁の吸音の向上を司る吸音手段を設けたことで、この防音効果の一層の向上を図ることを意図する。
【０００８】
請求項１は、  吸込口と吐出口を備えたケーシング内に羽根車を設けてなる送風機と、この送風機に羽根車用のモータを設けるとともに、この送風機を囲繞する構成の送風機用の低騒音装置において、
この低騒音装置の内側に設けた吸音壁と、前記送風機との間に適宜の間隔を形成し、
この間隔は、前記吸込口と吐出口に対して開口する吸込開口と吐出開口に連なるとともに、この吸音壁は、硬性の内外壁体と、この内外壁体に囲繞された吸音材で構成するとともに、この内壁体に当該吸音壁の吸音の向上を司る吸音手段を設け、
さらに、前記吸込開口には、その内側に廻込み部を形成した構成の送風機用の低騒音装置であって、
前記吸込開口が前記モータを囲繞し、かつこのモータの周辺に通路を形成することを特徴とする送風機用の低騒音装置である。
【０００９】
請求項２〜請求項５の発明は、請求項１の目的を達成すること、この目的を達成するに最適な内壁体を提供することを意図する。
【００１０】
請求項２は、請求項１に記載の送風機用の低騒音装置において、
前記吸音手段が、内壁体に設けた穴である送風機用の低騒音装置である。
【００１１】
請求項３は、請求項１に記載の送風機用の低騒音装置において、
前記吸音手段が、内壁体に設けたバーリング付き穴である送風機用の低騒音装置である。
【００１２】
請求項４は、請求項１に記載の送風機用の低騒音装置において、
前記吸音手段が、内壁体に設けた植毛体である送風機用の低騒音装置である。
【００１３】
請求項５は、請求項１に記載の送風機用の低騒音装置において、
前記吸音手段が、網目の内壁体の構造である送風機用の低騒音装置である。
【００１４】
請求項６の発明は、請求項１の目的を達成すること、この目的を達成するに最適な吸音壁の吸込開口を提供することを意図する。
【００１５】
請求項６は、請求項１に記載の送風機用の低騒音装置において、
前記吸音壁の吸込開口が、送風機のモータを囲繞するように開口する構成とした送風機用の低騒音装置である。
【００１６】
【００１７】
【００１８】
【００１９】
【発明の効果】
【００２０】
請求項１の発明は、吸込口と吐出口を備えたケーシング内に羽根車を設けてなる送風機と、送風機に羽根車用のモータを設けるとともに、送風機を囲繞する構成の送風機用の低騒音装置において、
低騒音装置の内側に設けた吸音壁と、送風機との間に適宜の間隔を形成し、
間隔は、吸込口と吐出口に対して開口する吸込開口と吐出開口に連なるとともに、吸音壁は、硬性の内外壁体と、内外壁体に囲繞された吸音材で構成するとともに、内壁体に吸音壁の吸音の向上を司る吸音手段を設け、
さらに、吸込開口には、内側に廻込み部を形成した構成の送風機用の低騒音装置であって、
吸込開口がモータを囲繞し、かつモータの周辺に通路を形成することを特徴とする送風機用の低騒音装置である。
【００２１】
従って、請求項１は、送風機全体の防音を図りつつ、現実に即した送風機用の低騒音装置を提供できること、またこの騒音防止とともに、送風機のモータ（駆動源）の冷却を図って、当該モータの冷却効果と、耐久性の向上と、潤滑部の損傷回避とが図れること等の特徴を有する。さらに、ケーシングを囲繞する空気の流れを確保して防音効果（吸音効果）を達成し、かつ内壁体に吸音壁の吸音の向上を司る吸音手段を設けたことで、この防音効果の一層の向上が図れること等の実益を有する。
【００２２】
請求項２の発明は、請求項１に記載の送風機用の低騒音装置において、
吸音手段を、内壁体に設けた穴とした送風機用の低騒音装置である。
【００２３】
請求項３の発明は、請求項１に記載の送風機用の低騒音装置において、
吸音手段を、内壁体に設けたバーリング付き穴とした送風機用の低騒音装置である。
【００２４】
請求項４の発明は、請求項１に記載の送風機用の低騒音装置において、
吸音手段を、内壁体に設けた植毛体とした送風機用の低騒音装置である。
【００２５】
請求項５の発明は、請求項１に記載の送風機用の低騒音装置において、
吸音手段を、網目の内壁体の構造とした送風機用の低騒音装置である。
【００２６】
従って、請求項２〜請求項５は、請求項１の目的を達成できること、この目的を達成するに最適な内壁体を提供できること等の特徴を有する。
【００２７】
請求項６は、請求項１に記載の送風機用の低騒音装置において、
吸音壁の吸込開口を、送風機のモータを囲繞するように開口する送風機用の低騒音装置である。
【００２８】
従って、請求項６は、請求項１の目的を達成できること、この目的を達成するに最適な吸音壁の吸込開口を提供できる特徴がある。
【００２９】
【００３０】
【００３１】
【００３２】
【発明を実施するための最良の形態】
【００３３】
以下、本発明の実施の態様（形態）を説明する。
【００３４】
１は送風機Ａのケーシングで、この渦巻状のケーシング１には吸込口２と吐出口３を備え、この吸込口２からの空気を吐出口３より機外に排気する構造である。またこのケーシング１内には羽根車４を設け、また羽根車４を駆動するモータ５をケーシング１に設けた構造であって、このモータ５の駆動で羽根車４は回転し、空気の吸込み及び／又は排気を可能とする。この送風機Ａは通常の形態であって、例えば、モータ５が外扇方式の場合、このモータ５の軸に羽根車４を直結した方式を採用し、全体構造の簡素化、部品点数の節約、又は外郭構造のコンパクト化、モータ５の冷却効果を意図する。しかし、この外扇方式及び／又はモータ５の軸に羽根車４を直結した方式は、一例であり限定されない。尚、モータが全閉式でも採用できる（図示しない）。
【００３５】
そして、この送風機Ａを囲繞する送風機用の吸音壁Ｂを設ける。この例では、送風機Ａのケーシング１に、適宜間隔をおいて吸音壁Ｂを設ける。この吸音壁Ｂは、吸込口２と吐出口３に沿って開口する吸込開口６と吐出開口７を形成する。そして、図例では、吸込開口６を、ケーシング１の背面１ａに設け、吸込口２と対峙する構造を採用し、例えば、吸込口２及び／又は吸込開口６より吸込んだ空気で、このケーシング１の周辺で発生する騒音を確実にキャッチし、吸音壁Ｂの外部に騒音が漏洩しない構造とする。そして、望ましくは、図１〜図４の例の如く、吸込開口６がモータ５を囲繞し、かつモータ５の周辺に通路５０を設ける構造とし、前述の如く、当該モータ５の冷却を図りつつ、耐久性の向上と、潤滑部の損傷回避とを図る。尚、図５の例では、吸込口２がモータ５を囲繞し、かつモータ５の周辺に通路５０を設けた構造であるが、前述の例と同様な効果が期待できる。この吸音壁Ｂは、硬性の内外壁体８、９と、内外壁体８、９に囲繞された吸音材１０及び／又は遮音材１００で構成される。そして、この内壁体８の全部又は一部に、吸音の向上を司る吸音手段Ｃを設ける。この吸音手段Ｃとは、穴１１、バーリング付き穴１２（突起が吸音材１０の方に位置する）、網目１３、図示しないが植毛等を個別又は複合して設ける。尚、吸込開口６は内側に廻込み形状とし、この廻込み部６００で騒音のキャッチ及び／又は拡散防止（ガード）を図る構造が望ましい。即ち、主としてケーシング１の背面１ａと吸音壁Ｂとで発生する騒音を、この廻込み部６００でガードする構成とし、その騒音防止を拡充する。
【００３６】
図８は別の一例を示しており、ケーシング１の周辺の一部（例えば、騒音がひどい背面１ａ等の部位）又は全部に吸音材１０及び／又は遮音材１００を設けた構成であり、望ましくは、吸音壁Ｂとの組み合わせで、騒音を略々完全に防止することを意図する。また図９のさらに別の一例は、吸音壁Ｂの一部が膨出し、この膨出部Ｂ１に吸音材１０及び／又は遮音材１００を充填するか、又は空気層等とし、吸込口２で反撥して発生する騒音を吸収し、騒音を略々完全に防止することを意図する。
【００３７】
図中Ｄは洗車機で、この洗車機Ｄは、門型の移動フレーム２０と、ノズル２１と、車輪２２を有する。また図中２３は床面に設けたレールを示す。
【００３８】
尚、図中矢印は、空気の流れを示す。
【図面の簡単な説明】
【００３９】
【図１】本発明の一例を示した吐出口から見た正面図
【図２】図１の吸込口から見た断面図
【図３】図１の側面図
【図４】図３の断面図
【図５】本発明の他の一例を示した平面視した断面図
【図６】吸音壁の拡大断面図
【図７】吸音壁の吸音手段を示した拡大図で、（イ）は穴の構造、（ロ）はバーリング付き穴の構造、（ハ）は網目の構造を示す
【図８】本発明の別の一例を示した吸込口から見た断面図
【図９】本発明のさらに別の一例を示した吸込口から見た断面図
【図１０】洗車機に本発明を装着した状態の模式図
【符号の説明】
【００４０】
１                ケーシング
１ａ              背面
２                吸込口
３                吐出口
４                羽根車
５                モータ
５０              通路
６                吸込開口
６００            廻込み部
７                吐出開口
８                内壁体
９                外壁体
１０              吸音材
１００            遮音材
１１              穴
１２              バーリング付き穴
１３              網目
２０              移動フレーム
２１              ノズル
２２              車輪
２３              レール
Ａ                送風機
Ｂ                吸音壁
Ｂ１              膨出部
Ｃ                吸音手段
Ｄ                洗車機
【図１】
0004651305.tif 000002
【図２】
0004651305.tif 000003
【図３】
0004651305.tif 000004
【図４】
0004651305.tif 000005
【図５】
0004651305.tif 000006
【図６】
0004651305.tif 000007
【図７】
0004651305.tif 000008
【図８】
0004651305.tif 000009
【図９】
0004651305.tif 000010
【図１０】
0004651305.tif 000011